(57)【要約】  本発明は、回折導波路要素、導波路スタック、個人用表示装置、及び可視画像を形成する方法を提供する。要素は、２つの光学面１０２Ａ／Ｂによって規定される導波路領域１０２であって、２つの光学面１０２Ａ／Ｂの間を光が内部全反射によって伝搬可能であり、光学面１０２Ａ／Ｂが表面プロファイルを有する、導波路領域１０２と、導波路領域１０２内の光照射野を変更可能な少なくとも１つの回折格子とを含む。本発明によれば、上記光学面１０２Ａ／Ｂの少なくとも１つの表面プロファイルは、階段プロファイルである。
2021508085.tif 000002
【特許請求の範囲】
【請求項１】
２つの光学面によって規定される導波路領域であって、前記２つの光学面の間を光が内部全反射によって伝播可能であり、前記光学面が表面プロファイルを有する、導波路領域と、
回折により前記導波路領域内の光照射野を変更可能な少なくとも１つの回折光学要素と、
を備え、
前記光学面のうち少なくとも１つの前記表面プロファイルが階段プロファイルであり、前記導波路領域が、前記階段プロファイルの個別のステップによって規定される略湾曲した形状を有する、
回折導波路要素。
【請求項２】
前記少なくとも２つの光学面の両方の前記表面プロファイルが階段プロファイルである、請求項１に記載の導波路要素。
【請求項３】
前記略湾曲した形状が、球面形又は非球面形である、請求項１又は２に記載の導波路要素。
【請求項４】
前記階段プロファイルは、前記内部全反射が発生する複数の主表面と、任意選択で、前記主表面間の中間表面とを含む、請求項１から３までのいずれかに記載の導波路要素。
【請求項５】
前記主表面の少なくとも一部が平面である、請求項４に記載の導波路要素。
【請求項６】
前記主表面の少なくとも一部が、球面又は非球面のように湾曲している、請求項４又は５に記載の導波路要素。
【請求項７】
前記導波路領域は略湾曲した形状を有し、前記主表面は前記略湾曲した形状の曲率とは反対方向に曲率を有する、請求項６に記載の導波路要素。
【請求項８】
前記導波路領域は略湾曲した形状を有し、前記主表面は前記略湾曲した形状の前記曲率と同じ方向の曲率を有する、請求項６に記載の導波路要素。
【請求項９】
前記中間表面の少なくとも一部は、前記主表面よりも低い透過率を有する、請求項４から８までのいずれかに記載の導波路要素。
【請求項１０】
前記中間表面が、隣接する前記主表面に対して本質的に直角である、請求項４から９までのいずれかに記載の導波路要素。
【請求項１１】
前記中間表面のうちの少なくとも大部分が、隣接する前記主表面に対して傾斜した角度である、請求項４から９までのいずれかに記載の導波路要素。
【請求項１２】
前記主表面が、球面又は焦点距離を有するレンズ表面などの連続表面の一部として成形されている、請求項４から１１までのいずれかに記載の導波路要素。
【請求項１３】
前記中間表面が互いに平行である、請求項４から１２までのいずれかに記載の導波路要素。
【請求項１４】
前記導波路要素が外面を有し、前記階段プロファイルを有する前記光学面が前記外面の少なくとも一部を形成する、請求項１から１３までのいずれかに記載の導波路要素。
【請求項１５】
前記導波路要素は、連続的な表面プロファイルを有する外面を有し、前記階段プロファイルを有する前記光学面は、材料の層によって前記外面から少なくとも部分的に分離されている、請求項１から１４までのいずれかに記載の導波路要素。
【請求項１６】
前記導波路領域を規定する前記光学面は、前記材料内の空洞によって形成されており、前記空洞は前記階段プロファイルの主表面を規定する、請求項１５に記載の導波路要素。
【請求項１７】
前記材料の層は、前記導波路領域と同じ屈折率を有する、請求項１６に記載の導波路要素。
【請求項１８】
前記少なくとも１つの回折光学要素が、
前記導波路領域外から前記導波路領域内に向けられた光線を結合するための入力結合格子、及び／又は
前記導波路領域内を移動する光線を前記導波路外で結合するための出力結合格子、及び／又は
前記導波路領域内を移動する光の射出瞳を拡張するための射出瞳エキスパンダ格子
を含む、請求項１から１７までのいずれかに記載の導波路要素。
【請求項１９】
前記回折光学要素が前記光学面上又は前記導波路領域内に配置されている、請求項１から１８までのいずれかに記載の導波路要素。
【請求項２０】
前記導波路要素は、透明な材料から作られ、光が前記導波路領域内の光の伝搬方向に対して本質的に横方向に前記導波路要素を通過することを可能にするように適合されている、請求項１から１９までのいずれかに記載の導波路要素。
【請求項２１】
前記導波路領域は、少なくとも１つの導波路層が前記階段プロファイルの少なくとも１つの階段の上に連続層として延在する複数の導波路層を含み、前記層間の伝播光パワー分布を変化させるための前記層間の少なくとも１つの中間回折光学要素が設けられている、請求項１から２０までのいずれかに記載の導波路要素。
【請求項２２】
請求項１から２１までのいずれかに記載の複数の導波路要素を互いに重ね合わせて含む導波路スタック。
【請求項２３】
前記要素のうちの少なくとも２つにおける前記光学面が異なる曲率を有し、各々の前記曲率が異なる焦点面に対応する、請求項２２に記載のスタック。
【請求項２４】
請求項１から２３までのいずれかに記載の導波路要素又は導波路スタックと、
前記導波路領域を用いて伝搬するために、前記導波路要素又は導波路スタックに画像を投影するように適合された画像プロジェクタと、
を備えた個人用表示装置。
【請求項２５】
１つが前記導波路要素の第１の領域に位置決めされた入力結合格子であり、１つが前記導波路要素の第２の領域に位置決めされた出力結合格子である少なくとも２つの回折格子を備え、前記画像プロジェクタは、前記導波路領域に結合するために前記入力結合格子に前記画像を投影するように適合され、前記出力結合格子は、前記導波路領域からの前記画像を前記導波路要素から離れた観察者の目に結合するように適合される、請求項２４に記載の個人用表示装置。
【請求項２６】
前記導波路要素は、湾曲した矯正レンズ若しくは非矯正レンズとして成形されるか、又は湾曲した矯正レンズ若しくは非矯正レンズの上にその形状に従って配置される、請求項２４又は２５に記載の個人用表示装置。
【請求項２７】
前記導波路要素又は導波路スタックが、眼鏡の形状因子で提供される、請求項２４から２６までのいずれかに記載の個人用表示装置。
【請求項２８】
目に近い表示装置に可視画像を形成する方法であって、
請求項１から２３までのいずれかに記載の導波路要素又は導波路スタックを提供することと、
前記導波路要素又は導波路スタックの第１の領域に配置された入力結合格子に画像を投影することと、
光が前記導波路領域内又は前記階段プロファイルに沿った領域内を伝播できるようにすることと、
前記導波路要素又は導波路スタックの第２の領域に配置された出力結合格子によって前記導波路からの光を結合することと、
を含む方法。
【発明の詳細な説明】
【技術分野】
【０００１】
本発明は、光導波路に関する。特に、本発明は、その上に設けられた回折格子を有する非平坦な導波路に関する。このような導波路は、拡張現実（ＡＲ：ａｕｇｍｅｎｔｅｄ  ｒｅａｌｉｔｙ）、仮想現実（ＶＲ：ｖｉｒｔｕａｌ  ｒｅａｌｉｔｙ）、複合現実（ＭＲ：ｍｉｘｅｄ  ｒｅａｌｉｔｙ）の装置及び用途において、目の近くの表示装置（ＮＥＤ：ｎｅａｒ−ｔｏ−ｔｈｅ−ｅｙｅ  ｄｉｓｐｌａｙｓ）のように使用され得る。
【背景技術】
【０００２】
拡張現実における目の近くの装置では、ユーザの片方又は両方の目の前に配置された導波路によって可視画像が生成され得る。導波路の形状は、導波路機能に課される物理的要件によって制限されるが、多くの場合、例えば、平面又は球形であり得るこの形状は、形状因子又は外観の観点から受け入れられない。
【０００３】
米国特許第８，８３０，５８４号は、最先端の球面及び非球面導波路を開示している。特に、上記文献は、画像の広がりを低減し、画像の解像度を改善し、短い焦点距離を利用できるようにするべく、視認のために表示装置の射出瞳を拡大して表示するための球面又は非球面の非平面基板と複数の回折要素とを備えた射出瞳拡大器（ＥＰＥ：ｅｘｉｔ  ｐｕｐｉｌ  ｅｘｐａｎｄｅｒｓ）を使用する装置及び方法について説明している。同様の解決策については、Ｐ．Ｓａａｒｉｋｋｏ、Ｊ．Ｏｐｔ．Ａ：Ｐｕｒｅ  Ａｐｐｌ．Ｏｐｔ．１１（２００９）、０６５５０４頁においても説明されている。
【０００４】
従来技術の導波路解決策を使用すると、導波路の光学特性及び性能はその物理的形状と密接に結びついている。したがって、物理的デザイン要素と視覚的デザイン要素との間で妥協する必要がある。例えば、回折導波路表示装置を、矯正レンズ又は非矯正レンズなどの既存の光学要素と統合することは困難である。しかしながら、そのような統合は、例えば、特にＡＲ  ＮＥＤにおいて一般的である、所謂眼鏡の形状因子を有する表示装置を作るために望ましいであろう。
【０００５】
したがって、改善された導波路及び導波路ベースの表示装置が必要とされている。
【先行技術文献】
【特許文献】
【０００６】
【特許文献１】米国特許第８，８３０，５８４号
【非特許文献】
【０００７】
【非特許文献１】Ｐ．Ｓａａｒｉｋｋｏ、Ｊ．Ｏｐｔ．Ａ：Ｐｕｒｅ  Ａｐｐｌ．Ｏｐｔ．１１（２００９）、０６５５０４頁
【発明の概要】
【発明が解決しようとする課題】
【０００８】
本発明の目的は、上述の問題の少なくともいくつかを解決し、特に個人用表示装置用途のための新規な導波路要素を提供することである。特定の目的は、導波路の形状とそれに続く表面の形状を分離するために使用できる解決策を提供することであり、これにより、物理的要件及び視覚的要件の両方を同時に満たすことができ、即ち、導波路設計の自由度を高める解決策を提供することができる。
【０００９】
特定の目的として、目の近くの装置などの個人用表示装置を眼鏡の形状因子で提供することもある。
【課題を解決するための手段】
【００１０】
上記目的は、独立請求項による発明によって達成される。
【００１１】
一態様によれば、本発明は、２つの光学面によって規定される導波路領域であって、２つの光学面の間を光が内部全反射によって伝播可能であり、光学面が表面プロファイルを有する、導波路領域と、導波路領域内の光照射野を変更可能な少なくとも１つの回折光学要素（ＤＯＥ：ｄｉｆｆｒａｃｔｉｖｅ  ｏｐｔｉｃａｌ  ｅｌｅｍｅｎｔ）、特に格子と、を含む回折導波路要素を提供する。本発明によれば、少なくとも１つの光学面の表面プロファイルは、階段プロファイルである。
【００１２】
別の態様によれば、本発明は、互いに重ね合わされた、上記の種類の複数の類似又は非類似の導波路要素を含む導波路スタックを提供する。
【００１３】
さらなる態様によれば、本発明は、この種の導波路要素又は導波路スタックと、導波路領域で伝搬するために導波路要素又は導波路スタックに画像を投影するように適合された画像プロジェクタとを備える個人用表示装置を提供する。格子は、入力結合格子、出力結合格子、射出瞳拡大器格子として機能し得る。
【００１４】
一態様によれば、本発明は、上記のような導波路要素又は導波路スタックを提供するステップと、導波路要素又は導波路スタックの第１の領域上に配置された入力結合格子に画像を投影するステップと、導波路領域内又は階段プロファイルに沿った領域内を光が伝播することを可能にするステップと、導波路要素又は導波路スタックの第２の領域に配置された出力結合格子によって導波路外の光を結合するステップとを含む、目に近い表示装置で可視画像を形成する方法を提供する。
【００１５】
本発明は重要な利点を提供する。第１に、本明細書で論じられる階段形状は、実際の導波路領域の形状が、導波路要素がたどる表面の形状とは異なるように、所定の非平面形状に従う導波路要素を実装するために使用できる。したがって、本発明の導波路形状は、境界をなす外面の形状から切り離されており、したがって、外面は、原則として、完全に任意であり得る。このことは、同じ形状の外面にのみ合致し得る従来の湾曲した導波路とは対照的である。
【００１６】
簡単に言えば、階段プロファイルは、例えば、湾曲した基板上に導波路ベースの表示要素を実装するために使用でき、上記要素は、平面要素の、最も顕著には、画像が無限にあるように見える光学特性を有する。したがって、「光学的に平面」であるが物理的に非平面の表示要素を作ることができる。同様に、基板の形状に関係なく、所定の湾曲した導波路形状、したがって明らかに有限の画像距離を有する表示要素を実装することができる。したがって、「光学的に非平面」で物理的に平面又は非平面の表示要素を作ることができる。これらの変形のいくつかの例は、この文献の後半に記載されている。
【００１７】
一例を挙げると、階段導波路は、２つの表面が同心であることが必要な従来の球状導波路では不可能である２つの非同心球状表面に追従するように作成することができる。一方、平面導波路の場合、平面導波路を階段導波路に置き換えても、導波路機能は影響を受けないままである。
【００１８】
通常の（バニラ）平面導波路又は球形導波路から階段形状に変えることは、導波路形状の基本を変更しない（平面導波路の場合がそうであり、球面導波路の場合は０次に関してそうである）。したがって、階段導波路及びその上部の回折格子の設計に、確立された設計方法論をうまく適用できる。
【００１９】
本導波路要素は、特に、眼鏡の形状因子がレンズの前側にぴったりと合う導波路要素を必要とする、ＮＥＤのようなＡＲ、ＶＲ、及びＭＲ近眼用途において使用され得る。特にシー・スルー表示装置で使用でき、とりわけ、矯正レンズを含むレンズ光学系に関連して使用され得る。階段形状は、平面導波路及び球形導波路の両方、つまり、無限遠又はなんらかの有限距離の焦点距離の画像をそれぞれ提供する導波路に適用できる。
【００２０】
階段導波路は任意の表面形状に従い得るため、視覚的要件を使用して、光学機能の実現可能性に悪影響を与えることなく、導波路の形状を決定することができる。具体的には、階段導波路要素を使用して、眼鏡の形状因子を一致させることができる。この場合、視覚的な魅力のために、眼鏡レンズの外面に沿って要素をぴったりと配置する必要がある。実際に、本発明の一態様は、眼鏡の形状因子の目の近くの表示装置を含み、導波路要素は、矯正レンズ又は非矯正レンズの上に追加され、要素の一般的な形状は、少なくとも１つの領域におけるレンズの形状に合致する。同様に、階段導波路要素は、形状が他の任意の外面と一致するように設計され得る。
【００２１】
階段導波路要素は積み重ねることもでき、このことは、光学面の同じ又は異なる曲率を有する複数の個々の階段導波路の積み重ねを実装できることを意味する。導波路の異なる曲率により、多焦点平面要素の実現が可能になり、これにより、新しい種類の光学機能を備え、ユーザ体験を向上したＶＲ、ＡＲ、及びＭＲ装置の実装が可能になる。
【００２２】
従属請求項は、本発明の選択された実施例に向けられている。
【００２３】
いくつかの実施例では、導波路を規定する２つの光学面の両方が階段プロファイルを有する。階段プロファイルを本質的に互いに対応させることにより、導波路要素の物理的形状に関係なく、「区分的に一定の厚さ」の導波路領域が所望の光学特性を有するようにすることができる。
【００２４】
いくつかの実施例では、導波路領域は、球形又は非球面形などの概して湾曲した形状を有し、概して湾曲した形状は、階段プロファイルの個別のステップによって規定される。
【００２５】
いくつかの実施例では、階段プロファイルは、上記内部全反射が生ずる複数の主表面を含む。さらなる実施例では、主表面の対の間に中間表面が存在する。代替の実施例では、光学的に重要な中間表面はなく、即ち、階段の蹴上げが主表面によって暗黙的に規定される。
【００２６】
いくつかの実施例では、主表面の少なくともいくつか、又は全てが平面である。したがって、これらの部分では、導波路要素は光学的に平面導波路として表示される。いくつかの実施例では、主表面の少なくともいくつか、又は全てが、球面又は非球面であるなど、湾曲している。
【００２７】
いくつかの実施例では、導波路領域は概して湾曲した形状を有し、主表面は概して湾曲した形状の曲率とは反対方向の曲率を有する。代替の実施例では、主表面は、上記の概して湾曲した形状の曲率と同じ方向の曲率を有する。
【００２８】
いくつかの実施例では、主表面は、球面又は焦点距離を有するレンズ表面などの連続表面の一部として形作られる。つまり、階段の蹴上げが削除され、それに応じて主表面が隣同士で平行移動すると、連続した滑らかな表面が表出する。
【００２９】
いくつかの実施例では、中間表面は、主表面よりも低い透過率を有する。中間表面の不透明度を低下させることにより、それらによって引き起こされる障害が低減され得る。
【００３０】
いくつかの実施例では、中間表面は、隣接する主表面に対して本質的に直角である。或いは、中間表面のうちの少なくとも大部分を隣接する主表面に対して傾斜した角度で配置することにより、中間表面によって引き起こされる障害を低減することもできる。
【００３１】
いくつかの実施例では、中間表面は互いに平行である。
【００３２】
いくつかの実施例では、階段プロファイルを有する１つ又は複数の光学面は、導波路要素の外面の少なくとも一部を形成する。いくつかの実施例では、階段プロファイルを有する１つ又は複数の光学面は、材料の層によって要素の外面から少なくとも部分的に分離されている。材料は、導波路領域自体の材料と同じであってもよいし異なっていてもよい。材料が同じである場合は、要素の光学性能を低下させ得る中間表面の存在を回避することができる。導波路要素の外面プロファイルは、典型的には連続的、即ち滑らかであり、例えば平面又は球形である。
【００３３】
導波路領域の階段プロファイルの光学面は、導波路と空気又は真空空洞層又は低屈折率固体材料層との間の界面によって規定され得る。
【００３４】
いくつかの実施例では、導波路要素に含まれる回折光学要素は、
−  導波路領域外から導波路領域内に向けられた光線を結合するための入力結合格子、
−  導波路領域内を移動する光線を導波路外で結合するための出力結合格子、又は
−  導波路領域内を移動する光の射出瞳を拡張するための射出瞳エキスパンダ格子、を含む。
【００３５】
また、これらのグループの１つ又は複数からのいくつかの格子が存在する場合や、要素内の任意の単一の格子がこれらの機能の２つ以上の役割を果たす場合がある。
【００３６】
いくつかの実施例では、導波路要素は、透明な材料から作製され、光が導波路領域内の光の伝搬方向に対して本質的に横方向に導波路要素を通過することを可能にするように適合される。これにより、例えばＡＲ用途におけるＨＭＤ表示装置及びＨＵＤ表示装置などのシー・スルー表示装置において要素を使用できるようになる。
【００３７】
いくつかの実施例では、本個人用表示装置は、１つが導波路要素の第１の領域に位置決めされた入力結合格子であり、１つが導波路要素の第２の領域に位置決めされた出力結合格子である少なくとも２つの回折格子を含み、画像プロジェクタは、導波路領域に結合するために入力結合格子に画像を投影するように適合され、出力結合格子は、導波路領域からの画像を導波路要素から離れた観察者の目に結合するように適合される。
【００３８】
いくつかの実施例では、導波路要素は、湾曲した矯正レンズ若しくは非矯正レンズとして成形されるか、又はその形状に従って湾曲した矯正レンズ若しくは非矯正レンズの上に配置される。
【００３９】
いくつかの実施例では、本発明の導波路要素又はそのような要素を含む導波路スタックは、眼鏡の形状因子により提供され、スマート・グラスのような着用可能な表示装置に特に適する。
【００４０】
次に、本発明の実施例及びその利点を、添付の図面を参照してより詳細に説明する。
【図面の簡単な説明】
【００４１】
【図１】目の前に置かれたＮＥＤを示す。
【図２】所謂眼鏡形状因子を有するＮＥＤを示す。
【図３】ＮＥＤで使用可能な一般的な導波路構造を示す。
【図４】一実施例による階段導波路要素を斜視図で示す。
【図５】階段導波路内の光の伝搬を斜視図で示す。
【図６】階段表面プロファイルを有する導波路要素の異なる変形を断面図で示す。
【図７】階段表面プロファイルを有する導波路要素の異なる変形を断面図で示す。
【図８】階段表面プロファイルを有する導波路要素の異なる変形を断面図で示す。
【図９】階段表面プロファイルを有する導波路要素の異なる変形を断面図で示す。
【図１０】階段表面プロファイルを有する導波路要素の異なる変形を断面図で示す。
【図１１】階段表面プロファイルを有する導波路要素の異なる変形を断面図で示す。
【図１２】階段表面が要素の外面を形成する階段導波路要素を示す。
【図１３】直角の中間表面を有する階段導波路における光線の伝播を詳細に示す。
【図１４】傾斜した中間表面を有する階段導波路における光線の伝播を詳細に示す。
【図１５】階段表面プロファイルのさらに別の変形例を断面図で示す。
【図１６】本発明の一実施例による多層導波路の１つの階段の詳細断面図を示す。
【発明を実施するための形態】
【００４２】
定義
本明細書における「導波路領域」又は簡単に「導波路」とは、構造内において、内部全反射を介して光波長、特に可視光波長を案内することができる構造を指す。
【００４３】
「導波路要素」は、少なくとも１つの導波路領域を含むものを指す。導波路領域は、互いの上にあるいくつかの別個の導波路層から構成され得る。しかしながら、要素は、導波路領域の表面上の１つ若しくは複数の材料層及び／又は１つ若しくは複数の格子などの他の部分も含み得る。
【００４４】
「光学面」は、境界の又は導波路要素内の屈折界面を指す。
【００４５】
「表面プロファイル」とは、その断面の平面で検査したときの表面の幾何学的形状を意味する。本明細書における様々な可能な表面プロファイルの形状の議論は、特に明記しない限り、又は明白でない限り、断面に関して行われることに留意されたい。但し、実際には、導波路及びその光学面は、この平面を横断する寸法及び曲率を有する三次元形状を有し得る。
【００４６】
「階段プロファイル」とは、複数の不連続な（急激な）高さの変化を持つ表面プロファイルを意味する。プロファイルは、少なくとも１つの断面において、隣接する副表面に対してある角度で複数の区別可能な副表面を有し、したがって、階段の形に似た複数のステップを形成する。特に、１つおきの副表面（主表面）は、１つおきに隣接する副表面と平行又はほぼ平行であり得る。導波路の一般的な平面におけるステップの寸法は、光学的回折限界よりも大きいので、プロファイル自体は光の有意な回折を引き起こさず、むしろ所望の幾何学的スキームに従って高効率で光を導く。
【００４７】
「連続プロファイル」とは、不連続な高さの変化がないプロファイル、つまり滑らかで階段のないプロファイルを指す。
【００４８】
「階段導波路」は、階段プロファイルを備えた少なくとも１つの光学表面によって規定される導波路領域を指す。「バニラ導波路」とは、光の伝播に寄与する連続的な光学面のみを有する従来の導波路を指す。
【００４９】
「導波路の一般的な平面／形状」は、導波路の巨視的な平面／形状を指し、したがって、その中の光の全体的な伝搬方向に大きな影響を与えない離散的な高さの変動を無視する。したがって、導波路の全体的な形状は、導波路領域全体が曲線内に留まるように、階段プロファイルのステップの外側の隅を介して収まる滑らかな曲線によって規定される。
【００５０】
「非平面」は、完全に平面以外の全ての形状、つまり「パンケーキ」形状をカバーする。特に、球面及び非球面の湾曲した形状がカバーされる。本明細書で論じられる導波路の一般的な形状は、一般に平坦ではないが、階段プロファイルの副表面は、平坦又は非平坦のいずれかであり得ることに留意されたい。即ち、非平坦な導波路形状は、平坦又は非平坦な光学面、即ち平坦又は非平坦な階段のいずれかによって規定され得る。
【００５１】
「主表面」とは、内部全反射を通じて、及び／又は、副表面に配置された回折格子などの回折光学要素（ＤＯＥ）との相互作用を介して、光線を導波路の一般的な平面に沿って導くことに貢献する、階段状の表面の副表面（つまり、従来の階段の用語に従って、階段の踏み板）を指す。「中間表面」とは、２つの主表面の間の副表面を指し、したがって、階段（つまり、階段の蹴上げ）の形成に寄与する。中間表面は、一般に、主表面に対して直角又は斜めの角度であり、中間表面のそれぞれは、２つ、又はより複雑な形状ではさらに多くの主表面を接続する。
【００５２】
「平面導波路」とは、全ての主表面（階段の踏み板）が平面、即ち平坦である導波路を指す。「湾曲した導波路」は、球面又は非球面などの、一部又は全ての主表面が湾曲している導波路を指す。
【００５３】
「外面」は、導波路要素の境界面を指す。外面は、階段表面で形成することができ、それにより、導波路の一般的な形状、又は階段表面の上に提供される材料の別の表面に従う。したがって、導波路要素の外面は、導波路領域の一般的な形状に追従してもよいし追従しなくてもよい。
【００５４】
「外側面」とは、レンズの表面など、導波路を配置できる別のものの表面を指す。
【００５５】
格子によって導波路内の光照射野を変更することは、特に、光を導波路に入力結合すること、導波路から光を出力結合すること、又は他の方法で光照射野の特性を変更すること、例えば導波路の射出瞳を延長すること、を意味する。
【００５６】
選択された実施例の説明
図１を参照すると、拡張現実用途用の目の近くの装置では、目１２の通常の視界に重ね合わされた画像は、目１２の近く、通常、目１２自体から数ｃｍ離れて配置された装置１０によって生成される。構成は、装置が１つ又は２つの目に対して画像を提供するようにすることができるが、両目機能（ｔｗｏ−ｅｙｅ  ｆｕｎｃｔｉｏｎａｌｉｔｙ）は、それぞれの目に１つずつ、２つの別々の装置を使用して実現することもできる。ここでは、本発明を片目又は両目分離の観点から説明しているが、両目設定にも同様に適用可能である。
【００５７】
図２を参照すると、目の近くの装置の１つの可能な形状因子は、「眼鏡」の形状因子であり、目の近くの装置は（視覚的補正なしで）眼鏡レンズに置き換えられるか、又は（視覚的補正ありで）眼鏡レンズ上に載置される。このような構成では、画像は、例えば、眼鏡フレーム内で、導波路の入力結合領域２２を照明する画像ビーム２１としてプロジェクタ又は他の表示装置によって生成される。そこから、光照射野は、導波路２３によって、ビーム拡大領域及び出力結合領域２４に並びにそれらの内部に運ばれる。後者によって放出された光照射野から、観察者の目の瞳孔２５を照明する。図示されたものは、そのような装置の１つの特定の例に過ぎず、多くの異なる変形及び構成が可能である。本発明及び以下の説明は、特に、導波路２３の幾何学的形状（表面形状）に焦点を合わせる。
【００５８】
図３は、一般的な平面導波路構造を断面図で示す。導波路３３は、内部全反射が起こる２つの主表面３３Ａ、３３Ｂと、波の伝搬が起こる導波路実質部（ｗａｖｅｇｕｉｄｅ  ｐｒｏｐｅｒ）とを含む。ここでは、主表面を平面であるものとして示しているが、一般に、本発明は、曲面、特に球面の部分を有する導波路にも等しく適用可能である。
【００５９】
主表面３３Ａ、３３Ｂの一方又は両方は、導波路実質部内の光照射野を適切に変更し得る回折構造によって完全に又は部分的に覆われ得る。回折構造は、図３に示すように、入力結合格子３２若しくは出力結合格子３４、又は射出瞳拡張格子（図示せず）として機能し得る。入力結合格子３２は、導波路３３の外側から導波路３３内に向けられた光３１Ａを結合する。入力結合された光３１Ｂは、それが当たって出力結合格子３４によって結合出力されるまで導波路内を伝搬する。ＡＲ用途のように、シー・スルー表示装置の場合、環境からの光３８は（最大の結合効率が望まれる入力結合領域を除いて）最小限の歪みで構造を通過できる。
【００６０】
導波路実質部は、典型的には一定の屈折率をもつが、本発明の範囲内において、傾斜型屈折率分布プロファイルや、一定屈折率をもつ複数の材料どうしが回折格子により互いに間隔を隔てられてなるスタック、又は複数の導波路実質部からなるスタックのような他の導波路構造も考えられる。
【００６１】
次に、図４〜図１５を参照して、階段導波路要素の異なる実施例を説明する。
【００６２】
図４は、１つの可能な導波路４０を示す。導波路４０は、所定の目に近い表示装置の光学機能を実装するように、２つの所定の表面４８Ａ、４８Ｂの間（即ち、所定の一般的な導波路形状内）に収まるように適合される。このことは、本発明に従って、導波路に階段表面プロファイルを提供することによって達成される。ここで、導波路の両方の表面は階段の形状を有し、階段４０Ａ〜Ｇの端の位置は、導波路４０の両側の所定の境界面４８Ａ、４８Ｂの形状に従うようになっている。
【００６３】
境界面４８Ａ、４８Ｂは、後でより詳細に論じられるように、実際の面であってもよいし、仮想設計基準のみであってもよい。前者の場合、導波路からの光照射野は、目に入る前にこれらの表面の１つを通過し、この表面の光パワー（ｏｐｔｉｃａｌ  ｐｏｗｅｒ）は設計により補償できる。
【００６４】
境界面の間の空間が、有限数の階段を有する表面プロファイルによって、物理的構造、好ましくは導波路材料の単一の体積に区分できる限り、境界面の形状に基本的な制限はない。
【００６５】
図５は、平面（平坦）階段５１、５２、５３、即ち平面状の主表面を有する階段の場合の階段導波路における波５９の伝搬を示す。階段５１、５２、５３は、同じ屈折率を有する平面導波路のスタックと考えることができる。したがって、それらの界面で屈折は発生せず、主表面の平面内の伝播方向は変化しない。実際、バニラ平面導波路の機能との唯一の違いは、導波路の片側に当たる連続する光線の位置間の距離（ホップ距離）が、（バニラ）導波路の厚さの定数ではなく、その点における階段導波路の合計の厚さに影響されることである。この変更を除けば、階段導波路の基本的な機能は、導波路の厚さが異なる「ステップ」ごとに異なる階段導波路であっても、バニラ導波路の機能と変わらない。
【００６６】
導波路上部の回折構造を設計／最適化するときにホップ距離を考慮することができるため、平面導波路に適用可能な全ての設計方法論を階段導波路にも直接適用することができることになる。このような方法論は一般的に重要ではなく、平面形状に強く依存しているため、階段アプローチは、これらの方法の有用性を所定の外表面に従う導波路に拡張する便利で簡単な方法を提供する（図４を参照）。
【００６７】
平面階段の階段導波路６２、７２、８２の追加の例が、図６〜図８に示されており、図６〜図８は、同じ所定の表面６０Ａ、６０Ｂに従う、即ち、同じ一般的な導波路形状を実装するが、他の点では異なる、階段導波路を生成するために異なるステップサイズを使用できることを示す。便宜上、導波路構造の平面断面のみが示されているが、これは、本発明の範囲に対する制限を意味することなく、これから従う慣習である。図６及び図７において、第１及び第２の表面プロファイル６２Ａ、６２Ｂ、７２Ａ、７２Ｂは、互いに水平方向に並ぶ階段（中間表面）を有する。図６の階段の高さは、図７の場合よりも小さい。図８では、第１及び第２の表面８２Ａ、８２Ｂの階段は、交互配置されている、即ち、互いに整列されていない。しかしながら、結果として生じる導波路８２は、図６及び図７の導波路６２、７２と同じ一般的な導波路形状を実装する。
【００６８】
これらの提示された原理は、平面導波路に適用されるだけでなく、球面導波路などの湾曲した導波路に直接適用することもできる。例えば、球面導波路は、光照射野の光線がその間で跳ね返る２つの同心の球面（導波路の主表面）を含む。このような導波路では、主表面と同心の特定の球面に対する光線角度は伝播の定数であり、つまり、ホップ間で変化しない。実際、この角度は、導波路の主表面の一方又は両方を別の同心球面に置き換えても変化しない。したがって、平面導波路と同様に、主表面が曲率半径の異なる多数の同心球面（ステップ）で表される場合、球面導波路も光線方向の恒常性をサポートする。
【００６９】
球形の階段導波路９２、１０２、１１２の例は、図９〜図１１に示されている。全ての場合において、第１及び第２の光学表面９２Ａ、９２Ｂ；１０２Ａ、１０２Ｂ、１１２Ａ、１１２Ｂは、湾曲した一般的な形状を有する導波路９２：１０２；１１２を規定する。図９の場合、主表面は、一般的な形状を規定する所定の表面９０Ａ、９０Ｂとは反対方向に曲率を有する球面である。図１０の場合、主表面と所定の表面１００Ａ、１００Ｂとの間の曲率は、同じ方向である（但し、大きさは概して同じではない）。図１１は、所定の表面１１０Ａ、１１０Ｂの主表面の曲率が互いに異なる状況を示す。
【００７０】
より小さい階段でもより大きい階段でも同じ一般的な形状が実装され得る。適度に湾曲した形状の目の近くの用途では、階段の踏み板（図６〜図１２の平面の主表面の寸法）は、例えば、２〜３０ｍｍ、例えば５〜２０ｍｍであり、及び階段の蹴上げ（図６〜図１２の平面における中間表面の方向）は、例えば５０〜１０００μｍ、例えば１００〜２００μｍである。
【００７１】
階段導波路とそれに続く所定の表面との組み合わせを含む、又はそれらから構成される完全なシステムは、異なるように具現化され得る。最も単純な実施例は、暗黙の参照のみを提供する、即ち物理的製品には存在しない所定の表面を有する導波路自体を単純に実現することである。これは、本明細書では「タイプＡ」要素又は「裸」階段導波路と呼ばれ、図１２に示されている。したがって、階段表面は導波路の外表面を形成する。この構成では、導波路構造の平面（球形）モデルは、実際の導波路の動作の正確な（０次）記述を提供する。これは多くの用途において十分である。図６〜図１１に示されている階段導波路形状はどれもタイプＡ要素として実装され得る。
【００７２】
いくつかの実施例では、予め規定された表面は明示的に存在し、即ち、物理的製品において階段表面とは別個の実際の外側光学表面として実装される。これは、本明細書では「タイプＢ」要素と呼ばれ、図６〜図１１及び図１５に示されている。予め規定された表面の光学的作用能力が十分に小さい場合、或いはそれらが望ましい効果又は許容できる効果を提供する場合、それらを階段導波路設計に単に追加することができる。「タイプＢ」要素では、内部全反射が発生するように、導波路６２、７２、８２、９２、１０２、１１２と外面６０Ａ／Ｂ、７０Ａ／Ｂ、８０Ａ／Ｂ、９０Ａ／Ｂ、１００Ａ／Ｂ、１１０Ａ／Ｂとの間の材料層は、屈折率が著しく低い材料にすることができる。代替として、又はそれに加えて、層の境界面の位置に空気又は真空の空洞を設けることができ、これにより、屈折率の差、結果として要素のＦＯＶの差を最大化する。さらに別の実施例では、層の間に薄い低屈折率の固体材料界面層がある。図６〜図１１及び図１５を参照すると、空洞層又は界面層は、主表面６２Ａ／Ｂ、７２Ａ／Ｂ、８２Ａ／Ｂ、９２Ａ／Ｂ、１０２Ａ／Ｂ、１１２Ａ／Ｂ、１５２Ａ／Ｂ（及び存在する場合は中間表面）の位置に位置決めされており、特に図に描かれていない。
【００７３】
導波路の主表面にある空洞層又は低屈折率界面層の場合、空洞層の厚さは、例えば、導波路を規定するのに十分な１０〜１００μｍなど、１０μｍ以上であり得る。
【００７４】
「タイプＢ」要素のいくつかの実施例では、別個の外面の追加された光学機能を補償するために、導波路形状を変更しなければならない。このような補償は、例えば平面導波路を球形導波路で置き換えることにより、又は例えば図９〜図１１に示されるように球形導波路の曲率を変えることにより、導波路の非平面主表面で達成できる。非平面の主表面と別個の外面との両方を有する「タイプＢ」要素のこの特定のケースは、「タイプＣ」要素と呼ばれる。
【００７５】
図示のように、中間表面は、通常、導波路の横断面の主表面よりも短い。１つの典型的な構成では、主表面は、その各位置で導波路の一般的な平面にほぼ平行であり、即ち、その平面から２０度以下、通常は１０度以下の偏差である。中間表面は、隣接する主表面に対して３０〜１５０度、例えば４５〜１３５度の角度、特に７０〜１１０度の角度であってよい。
【００７６】
典型的なシー・スルーの目の近くの表示装置用途では、目に表示される画像を生成する光学システムは、環境から目へ通過する光に対して障害となってはならない（図３：３８）。実際には、このような障害を完全に回避することはできないが、できる限り小さくする必要がある。平面導波路の場合、主表面の反射とこれらの表面の格子構造が障害の主な原因であり、これらの障害は合理的にうまく制御できる。球面導波路は、それらの主表面の光学的作用能力に起因して、レンズ効果をさらに導入する。この影響を補償することはさらに困難であるが、通常は許容できる。
【００７７】
図１３に示されるように、裸階段導波路（タイプＡ要素）では、導波路構造の中間表面１３５Ａ、１３５Ｂ、１３７Ｂは、光照射野へのさらなる障害の原因をもたらす。実際、導波路を通過する光線１３Ａ、１３Ｂ、１３Ｄ又は導波路の内部を伝播する光線１３Ｃは、これらの表面１３５Ａ、１３５Ｂ、１３７Ｂによって反射される可能性があり（望ましくない反射及び屈折点は図１３において円で囲まれている）、したがって間違った角度で、又はそうでない場合は意図せずに目に到達する。
【００７８】
一実施例では、中間表面１３５Ａ、１３５Ｂ、１３７Ｂは、望ましくない潜在的な反射及び／又は屈折にもかかわらず、主表面１３４Ａ、１３４Ｂ、１３６Ａ、１３６Ｂ、１３８Ｂと同じ光学特性を有する。図１３に示すように、中間表面１３５Ａ、１３５Ｂ、１３７Ｂは、断面の主表面に対して垂直にも配置され得る。
【００７９】
代替の実施例では、導波路の片側又は両側の中間表面１３５Ａ、１３５Ｂ、１３７Ｂは、対応する方向から目に光が届かないように、黒くされている、即ち、不透明にされている。これにより、不要な反射及び／又は屈折が削除される。一実施例では、中間表面１３５Ａ、１３５Ｂ、１３７Ｂは、部分的に黒くされ、それにより、それらの透過率は、例えば、主表面１３４Ａ、１３４Ｂ、１３６Ａ、１３６Ｂ、１３８Ｂの１０〜９０％であり得る。
【００８０】
図１４に示すように、一実施例では、中間表面１４５Ａ、１４５Ｂ、１４７Ｂは、それらの隣接する主表面１４４Ａ、１４４Ｂ、１４６Ａ、１４６Ｂ、１４８Ｂの法線方向に対して斜めの角度にある。角度は一般に例えば１〜６０度であり得る。これは、不要な反射及び／若しくは屈折を低減し、並びに／又は視覚的により許容できるようにするために用いられ得る。
【００８１】
不要な反射又は吸収の形で、導波路の非主表面によって引き起こされる、階段導波路のシー・スルー特性の中断は、軽微であり、並びに／又は、傾斜面の法線及び追加の回折構造を用いるなど、設計上の選択よって低減し得る。必要に応じて、これらの影響は、完全な導波路アセンブリの最適化プロセスにおいてさらに軽減することができる。
【００８２】
一実施例では、導波路を通過する光線１４Ａ〜Ｄに対する非主表面１４５Ａ、１４５Ｂ、１４７Ｂの影響は、それらの法線が環境から導波路を通って目へ通過する光線の平均伝搬方向に対して垂直になるように表面を配向することによって低減される。この構成は、特に図１４に示されている。但し、非主表面の向きを変更しても、導波路内を伝搬する光線（図１３の光線１３Ｃのような）への影響は根本的には削除されない。但し、これらの光線は、通常はいずれも最適化メリット関数の減少に繋がる特性であるエネルギー／強度を適切な画像から運び去り、ゴースト画像の原因であるので、この効果は、導波路設計を完成させるために使用される最適化手順によってある程度補償することができる。
【００８３】
階段形状の利点には、導波路の形状が基本的に、従わなければならない表面の形状によって影響を受けないため、ほぼ任意の外面形状で階段導波路を実現できることが含まれる。さらに、導波路内部の光線間の角度関係は、外面の形状に影響されない。このため、対応するバニラ導波路（自然な曲率に従うもの）の既存の設計モダリティは、階段導波路に続く表面の設計を直接適用することができる。特定の焦点面距離を実現する従来の球面導波路は、階段導波路に変換できる。
【００８４】
導波路の階段表面及び／又は外表面上に１つ又は複数の回折格子が提供され得る。最も一般的には、そのような格子は、
−  導波路要素の外側からそこに向けられた光線をその導波路領域に結合するための入力結合格子、及び／又は
−  導波路領域内を移動する光線を導波路要素外で結合するための出力結合格子、及び／又は
−  導波路領域内を進む光の射出瞳を拡張するための射出瞳エキスパンダ格子である。
【００８５】
その目的に応じて、格子は単一の主表面の領域内に収まってもよいし、階段のステップと重なり、隣接するいくつかの主表面にまたがってもよい。
【００８６】
特にＡＲ用途に適用可能な典型的な実施例では、導波路要素は透明な材料から作製され、光が導波路内の光の伝搬方向に対して本質的に横方向に導波路要素を通過できるように適合される。
【００８７】
階段導波路スタックは、本明細書に記載されるように互いの上に配置された２つ以上の階段導波路要素を含み得る。階段面（タイプＡ要素）又は別個の表面（タイプＢ要素）からなるかどうかに関係なく、互いに向き合う導波路の外面は、互いにぴったりと合うように形作られてもよい。スタック内の各個別の導波路は、異なる波長の分離した入力結合格子及び／又は出力結合格子などの１つ又は複数の格子を含み得る。
【００８８】
いくつかの実施例では、積み重ねられた各要素の各々の光学面は、同じ曲率、結果として同じ焦点面を有する。これにより、例えば、要素間の単一画像の色の分離が可能になる。
【００８９】
いくつかの実施例では、積み重ねられた要素の少なくとも２つは、異なる曲率を有する主表面を有し、各曲率は、異なる焦点面に対応する。したがって、スタックには同時に多くの焦点面がある。これにより、この配置の有用な用途の１つとして、異なる見かけの距離で画像を表示できる。少なくとも２つの要素のそれぞれを個別に制御することができ、又は同じ画像をそれらのそれぞれに投影することができる。
【００９０】
いくつかの実施例では、スタックは、異なる導波路曲率を有する少なくとも２つの要素と、同じ導波路曲率を有する少なくとも２つの要素とを含む。したがって、スタックは異なる目的を同時に果たすことができる。
【００９１】
図１５は、「タイプＢ」要素又は「タイプＣ」要素の特定の実施例を示し、導波路１５０は、第１及び第２の外面１５０Ａ、１５０Ｂを含み、導波路１５２の主表面１５２Ａ、１５２Ｂは、例えば、単一の材料、好ましくは単一の材料層の内部の真空又は空気の内部空洞で形成される。空洞は、中間表面が全くない導波路１５２に階段プロファイルを提供するように位置決め及び成形される。即ち、それらは、導波路領域の非連続的な光学表面を規定し、中間表面は明示的には現れない。これは、導波路領域１５２と導波路１５０を囲む真空／空気との間の材料の屈折率が導波路領域１５２自体の屈折率と一致する場合である。このような階段導波路の場合、階段形状自体は、観察者の目で見た環境の画像に障害をもたらさない。但し、非主表面が明示的に存在しない場合でも、導波路内を伝搬する光線に対する影響は残り（一部の光線は導波路から逃げる）、明示的な外側面のない階段導波路の場合、上記と同じ又は同様の考慮事項が保証される。
【００９２】
他の実施例を参照して上述したように、この実施例においても、主表面１５２Ａ、１５２Ｂは、平坦又は、球形などの非平坦であり得る。同様に、要素のＦＯＶを犠牲にして、空洞を低屈折率の固体界面層で置き換えることができる。
【００９３】
最後に、図１６は、導波路領域の内部構造の１つの可能な実装を示している。単一の導波路層のみの代わりに、上記実装は複数の層１０Ａ〜Ｅを含み、そのうちの少なくとも１つは階段の上で途切れることなく続く。階段の各側にはいくつかの層があり、ここではそれぞれ３つの層１０Ａ、１０Ｂ、１０Ｃ／１０Ａ、１０Ｄ、１０Ｅがある。光は、最初に複数の第１の側面層１０Ａ、１０Ｂ、１０Ｃに結合される。階段の上流には、少なくとも１つの回折光学要素１４ＡＢ、１４ＢＣがあり、層１０Ａ、１０Ｂ、１０Ｃ間の光のパワー分布を変更して、光が階段前の連続層１０Ａに「パック」されるようにする。その層では、全てのパワーが階段の第２の側に転送される。したがって、光は階段を都合よく「登る」。第２の側では、光パワーは、中間の回折光学要素１４ＡＤ、１４ＤＥを使用して、層１０Ａ、１０Ｄ、１０Ｅの間で再び再分配され得る。
【００９４】
全ての実施例において、導波路領域の材料は、２．０以上の屈折率（ｎ）を有する高屈折率ガラスであり得る。或いは、高屈折率（ｎ≧１．７）プラスチックで形成することもできる。導波路領域上に低屈折率界面層及び／又は別個の外面形成層を含むタイプＢ及びタイプＣの実施例では、この層は、例えば、ｎ≦１．３などのｎ≦１．４のプラスチックで形成され得る。
【００９５】
説明した全ての実施例において、導波路に含まれる１つ若しくは複数の格子、又はより一般的には回折光学要素（ＤＯＥ）は、主表面が外表面であるか要素内の空洞を含む内部光学界面であるかに関係なく、主表面上又は主表面間に配置できる。典型的な実施例では、１つ又は複数の格子は、導波路の少なくとも主表面上に配置される。格子は、要素のタイプに応じて、空気若しくは真空の空洞層又は固体の低屈折率層であり得る次の層に浸透する場合と浸透しない場合とがある。
【００９６】
格子材料は、例えば、酸化物又は窒化物、例えば、金属酸化物、例えば、ＴｉＯ２であり得る。
【００９７】
１つ又は複数の格子は、単一の階段又はいくつかの階段の上に延在し得る。一実施例では、出力格子は、少なくとも２つの階段の領域上に延在し、その少なくとも片側に向かって漏れやすい表示要素を提供する。このようにして、光学歪みの少ない非平面表示装置要素を実装することができる。
【図１】
2021508085.tif 000003
【図２】
2021508085.tif 000004
【図３】
2021508085.tif 000005
【図４】
2021508085.tif 000006
【図５】
2021508085.tif 000007
【図６】
2021508085.tif 000008
【図７】
2021508085.tif 000009
【図８】
2021508085.tif 000010
【図９】
2021508085.tif 000011
【図１０】
2021508085.tif 000012
【図１１】
2021508085.tif 000013
【図１２】
2021508085.tif 000014
【図１３】
2021508085.tif 000015
【図１４】
2021508085.tif 000016
【図１５】
2021508085.tif 000017
【図１６】
2021508085.tif 000018
【国際調査報告】
2021508085.tif 000019
2021508085.tif 000020
2021508085.tif 000021
2021508085.tif 000022